(57)【要約】【課題】バスバ重なり部への通電により生じる磁束がスイッチ装置を通過し難い電源装置を提供する。【解決手段】電源装置１は、電池と回路基板３とスイッチ装置４とバスバ６１と遮蔽部５とを備える。回路基板３は、電池に電気的に接続されている。スイッチ装置４は、回路基板３に実装されている。バスバ６１は、回路基板３に対して回路基板３の厚み方向Ｚに重なる位置に配されたバスバ重なり部６０を有する。遮蔽部５は、バスバ重なり部６０とスイッチ装置４との間に配されており、磁性体からなる。【選択図】図２
2020087860.tif 000002
【特許請求の範囲】
【請求項１】
電池（２）と、
前記電池に電気的に接続された回路基板（３）と、
前記回路基板に実装されたスイッチ装置（４）と、
前記回路基板に対して前記回路基板の厚み方向（Ｚ）に重なる位置に配されたバスバ重なり部（６０）を有するバスバ（６１、６２）と、
前記バスバ重なり部と前記スイッチ装置との間に配された磁性体からなる遮蔽部（５）と、を備える電源装置（１）。
【請求項２】
前記スイッチ装置は、前記回路基板における前記バスバ重なり部が配された側に実装されている、請求項１に記載の電源装置。
【請求項３】
前記遮蔽部は、前記バスバ重なり部における前記スイッチ装置に最も近い最近接部（６０１）の通電方向（Ｙ）、及び前記スイッチ装置と前記バスバ重なり部との並び方向（Ｚ）の双方に直交する方向（Ｘ）の両側から前記スイッチ装置又は前記バスバ重なり部を覆う部位（５２）を有する、請求項１又は２に記載の電源装置。
【請求項４】
前記電池、前記回路基板及び前記バスバを載置するベース部材（７）を備え、前記遮蔽部は、前記ベース部材に固定されている、請求項１〜３のいずれか一項に記載の電源装置。
【請求項５】
前記遮蔽部は、前記ベース部材に対し、前記回路基板と共締めされている、請求項４に記載の電源装置。
【請求項６】
前記遮蔽部は、前記回路基板に固定されている、請求項１〜３のいずれか一項に記載の電源装置。
【請求項７】
前記スイッチ装置は、前記回路基板における前記バスバ重なり部が配された側に実装されており、前記遮蔽部は、前記回路基板と反対側から前記スイッチ装置を支持している、請求項４〜６のいずれか一項に記載の電源装置。
【請求項８】
前記遮蔽部は、前記スイッチ装置を、前記回路基板側に付勢している、請求項７に記載の電源装置。
【発明の詳細な説明】
【技術分野】
【０００１】
本発明は、電源装置に関する。
【背景技術】
【０００２】
特許文献１に記載の電源装置は、リチウムイオン蓄電池と、リチウムイオン蓄電池に電気的に接続された回路基板と、前記回路基板に実装されたリレー等のスイッチ装置と、を備える。また、特許文献１に記載の電源装置は、リチウムイオン蓄電池に電気的に接続され、リチウムイオン蓄電池の入出力電流が流れるバスバを有する。バスバは、回路基板に対向する領域に配されたバスバ重なり部を有する。
【先行技術文献】
【特許文献】
【０００３】
【特許文献１】特開２０１８−８５２１９号公報
【発明の概要】
【発明が解決しようとする課題】
【０００４】
しかしながら、特許文献１に記載の電源装置においては、例えばバスバにリチウムイオン蓄電池からの出力電流が流れる場合等、バスバにリップル電流等の、時間的に変動する電流が流れ得る。バスバにリップル電流が流れることにより、バスバ周囲には、時間的に変動する磁界が発生する。それゆえ、スイッチ装置には、バスバ重なり部にリップル電流が流れることにより生じる、時間的に変動する磁束が通過するおそれがある。スイッチ装置に、時間的に変動する磁束が通過すると、スイッチ装置の誤作動や、スイッチ動作の振動等の問題が懸念される。
【０００５】
本発明は、かかる課題に鑑みてなされたものであり、バスバ重なり部への通電により生じる磁束がスイッチ装置を通過し難い電源装置を提供しようとするものである。
【課題を解決するための手段】
【０００６】
本発明の一態様は、電池（２）と、
前記電池に電気的に接続された回路基板（３）と、
前記回路基板に実装されたスイッチ装置（４）と、
前記回路基板に対して前記回路基板の厚み方向（Ｚ）に重なる位置に配されたバスバ重なり部（６０）を有するバスバ（６１、６２）と、
前記バスバ重なり部と前記スイッチ装置との間に配された磁性体からなる遮蔽部（５）と、を備える電源装置（１）にある。
【発明の効果】
【０００７】
前記態様の電源装置において、遮蔽部は、バスバ重なり部とスイッチ装置との間に配されており、磁性体からなる。それゆえ、バスバ重なり部に、時間的に変動する電流が流れてバスバ重なり部の周囲の磁界が時間的に変動しても、この磁界の磁束は、遮蔽部に吸収されるため、スイッチ装置を通過し難い。
【０００８】
以上のごとく、前記態様によれば、バスバ重なり部への通電により生じる磁束がスイッチ装置を通過し難い電源装置を提供することができる。
なお、特許請求の範囲及び課題を解決する手段に記載した括弧内の符号は、後述する実施形態に記載の具体的手段との対応関係を示すものであり、本発明の技術的範囲を限定するものではない。
【図面の簡単な説明】
【０００９】
【図１】実施形態１における、電源装置の平面図。
【図２】図１の、II−II線矢視断面図。
【図３】実施形態１における、遮蔽部の斜視図。
【図４】実施形態２における、電源装置の断面図であって、図２に対応する図。
【図５】実施形態３における、電源装置の断面図であって、図２に対応する図。
【図６】実施形態４における、電源装置の断面図であって、図２に対応する図。
【図７】実施形態５における、電源装置の断面図であって、図２に対応する図。
【図８】実施形態５における、遮蔽部及び弾性体の斜視図。
【図９】実施形態６における、電源装置の断面図であって、図２に対応する図。
【図１０】実施形態７における、電源装置の断面図であって、図２に対応する図。
【図１１】実施形態８における、電源装置の断面図であって、図２に対応する図。
【図１２】実施形態９における、電源装置の断面図であって、図２に対応する図。
【図１３】実施形態１０における、電源装置の断面図であって、図２に対応する図。
【図１４】実施形態１１における、電源装置の断面図であって、図２に対応する図。
【発明を実施するための形態】
【００１０】
（実施形態１）
電源装置の実施形態につき、図１〜図３を用いて説明する。
本実施形態の電源装置１は、図１に示すごとく、電池２と回路基板３とスイッチ装置４とバスバ（第一バスバ６１、第二バスバ６２）と遮蔽部５とを備える。回路基板３は、電池２に電気的に接続されている。図１、図２に示すごとく、スイッチ装置４は、回路基板３に実装されている。バスバ（第一バスバ６１、第二バスバ６２）は、回路基板３に対して回路基板３の厚み方向に重なる位置に配されたバスバ重なり部６０を有する。図２に示すごとく、遮蔽部５は、バスバ重なり部６０とスイッチ装置４との間に配されており、磁性体からなる。
以後、本実施形態につき詳説する。
【００１１】
以後、回路基板３の厚み方向を、Ｚ方向という。また、Ｚ方向の一方側であって、バスバ重なり部６０に対する回路基板３側をＺ１側といい、その反対側をＺ２側という。
【００１２】
本実施形態において、電源装置１は、例えば車両の床下に搭載される車両用電源装置である。電源装置１が搭載される車両は、例えば、ハイブリッド自動車、電気自動車等とすることができる。本実施形態においては、電源装置１をハイブリッド自動車に搭載する例について説明する。
【００１３】
図１に示すごとく、電源装置１は、回路基板３と電源装置１の外部とを接続するための前述のバスバである、第一バスバ６１及び第二バスバ６２を備える。第一バスバ６１における回路基板３側と反対側の第一端子６１１には、外部の後述の発電電動機が電気的に接続される。第二バスバ６２における回路基板３側と反対側の第二端子６２１には、外部の後述の鉛蓄電池が電気的に接続される。
【００１４】
発電電動機は、例えば車両のエンジンに連結されており、エンジンにより駆動されて発電する発電機としての機能を備える。さらに、発電電動機は、電動機としての機能を備え、エンジンと共に車両の動力源として機能する。このような発電電動機は、ＩＳＧ（Ｉｎｔｅｇｒａｔｅｄ  Ｓｔａｒｔｅｒ  Ｇｅｎｅｒａｔｏｒ）とも称される。
【００１５】
発電電動機の発電電力は、第一バスバ６１、回路基板３等を介して電池２に供給される。これにより、電池２が充電される。また、電池２から回路基板３、第一バスバ６１等を介して発電電動機に電力が供給されることにより、発電電動機が電動機として機能する。
【００１６】
鉛蓄電池は、電池２と並列に、発電電動機に電気的に接続される。鉛蓄電池は、電池２と共に発電電動機に電力を供給したり、オーディオ装置やナビゲーション装置等の電気負荷に電力を供給したりする。また、発電電動機の発電電力は、第一バスバ６１、回路基板３、及び第二バスバ６２を介して鉛蓄電池にも供給され、鉛蓄電池が充電される。回路基板３には、図示しない充放電制御スイッチが実装されている。充放電制御スイッチは、ＥＣＵによりスイッチング動作が制御されており、これにより、電池２の充放電が制御される。
【００１７】
図１、図２に示すごとく、電源装置１は、回路基板３、第一バスバ６１及び第二バスバ６２を載置するベース部材７を備える。ベース部材７のＺ１側に回路基板３、第一バスバ６１、第二バスバ６２等の電源装置１の構成部材が載置されている。ベース部材７は、アルミニウム等の金属からなる。また、図示は省略するが、ベース部材７と第一バスバ６１及び第二バスバ６２との間には、例えば樹脂部材等の絶縁部材が介在している。なお、ベース部材７は樹脂等の絶縁部材で構成してもよい。
【００１８】
図１に示すごとく、ベース部材７には、電源装置１を車両に締結するためのボルトを挿通する固定用孔７３が形成されている。電源装置１は、ベース部材７の固定用孔７３に、そのＺ１側からボルトを挿通し、当該ボルトを車両に締結することで、車両に固定される。
【００１９】
図１に示すごとく、ベース部材７は、Ｚ方向に直交する方向であるＸ方向の一方側に突出するとともに、第一バスバ６１の第一端子６１１及び第二バスバ６２の第二バスバ６２を載置するベース突出部７１を備える。以後、ベース部材７におけるベース突出部７１以外の部位を、ベース本体部７２ということもある。
【００２０】
また、以後、Ｘ方向における、ベース本体部７２からベース突出部７１が突出する側をＸ１側といい、その反対側をＸ２側という。Ｘ方向とＺ方向との双方に直交する方向をＹ方向という。
【００２１】
図１に示すごとく、ベース突出部７１は、ベース本体部７２におけるＹ方向の一方側であるＹ１側の端部からＸ１側に形成されている。以後、Ｙ方向におけるＹ１側と反対側をＹ２側という。
【００２２】
図１に示すごとく、ベース部材７のＺ１側の面に、第一バスバ６１及び第二バスバ６２が載置されている。第一バスバ６１及び第二バスバ６２は、長尺な金属板をその厚み方向に複数回折り曲げたような形状を有する。第一バスバ６１及び第二バスバ６２は、互いに対向するよう並んで配されている。
【００２３】
図１に示すごとく、第一バスバ６１及び第二バスバ６２は、ベース突出部７１のＺ１側に形成された第一端子６１１及び第二端子６２１からベース本体部７２のＺ１側まで延びている。そして第一バスバ６１及び第二バスバ６２におけるベース本体部７２のＺ１側に配された部位の一部は、Ｚ方向におけるベース本体部７２と回路基板３との間に配されている。Ｚ方向におけるベース本体部７２と回路基板３との間に配された第一バスバ６１及び第二バスバ６２の部位が、回路基板３に対して回路基板３の厚み方向に重なる位置に配されたバスバ重なり部６０である。図示は省略するが、第一バスバ６１のバスバ重なり部６０及び第二バスバ６２の第二重なり部は、Ｚ１側に突出して回路基板３のスルーホールに接続される部位を備える。
【００２４】
図１、図２に示すごとく、回路基板３は、Ｚ方向に厚みを有する板状に形成されている。図１に示すごとく、回路基板３は、Ｘ方向に長尺に形成されている。また、回路基板３は、Ｘ１側端部からＹ１側に突出する部位を有し、全体としてＬ字状に形成されている。
【００２５】
図１に示すごとく、回路基板３は、ベース本体部７２におけるＹ２側の領域のＺ１側に配されている。図２に示すごとく、ベース本体部７２は、Ｚ１側に突出するとともに回路基板３を締結する複数のボス部７２１を有する。回路基板３は、ボス部７２１のＺ１側に載置されており、ボス部７２１にボルト１１で締結されている。
【００２６】
図１に示すごとく、回路基板３のＸ１側の領域には、スイッチ装置４が実装されている。スイッチ装置４は、リレーである。スイッチ装置４の接点は、第一バスバ６１と第二バスバ６２との間において、前述の充放電スイッチと並列に接続されている。
【００２７】
スイッチ装置４は、ノーマリクローズ式のリレーである。車両停止中においては、スイッチ装置４の接点がオンとなり、第一バスバ６１、スイッチ装置４、第二バスバ６２を介して鉛蓄電池と発電電動機とが電気接続される。また、車両停止中において、鉛蓄電池は、第一バスバ６１、スイッチ装置４を介して電源装置１外部のオーディオ装置やナビゲーション装置等の電気負荷に暗電流を供給する。
【００２８】
スイッチ装置４は、機械式のリレーである。図示は省略するが、スイッチ装置４は、固定接点と、固定接点に接触したり固定接点から離隔したりする可動接点と、通電状況に応じて一対の固定接点と可動接点との接触状態を変更する操作コイルとを有する。
【００２９】
スイッチ装置４は、操作コイルが非通電状態にあるとき、スイッチ装置４に設けられたバネの力により、可動接点が固定接点から離れ、スイッチ装置４に設けられた係止部に押し付けられている。一方、操作コイルが通電状態にあるとき、操作コイルの電磁力により可動接点が固定接点側に付勢されるとともに固定接点に押し付けられる。これにより、可動接点と固定接点とが導通し、スイッチ装置４がオンの状態となる。スイッチ装置４のオンオフ時には、可動接点と固定接点又は係止部との打撃により、スイッチ装置４には音、振動が生じ得る。スイッチ装置４における接点のオンオフ動作は、ＥＣＵによって制御されている。
【００３０】
図２に示すごとく、スイッチ装置４は、回路基板３におけるバスバ重なり部６０が配された側（すなわちＺ２側）に搭載されている。スイッチ装置４は、スイッチ本体部４１と、スイッチ本体部４１からＺ１側に突出するスイッチ端子４２とを備える。
【００３１】
スイッチ本体部４１は、前述の固定接点、可動接点、操作コイルをケース内に収容してなる。図１に示すごとく、スイッチ本体部４１は、第一バスバ６１のバスバ重なり部６０のうち、Ｙ方向に延在する部分の一部にＺ方向に重なる位置に配されている。図２に示すごとく、スイッチ端子４２は、回路基板３のスルーホールにはんだ付けにより接合されている。回路基板３に搭載されたスイッチ装置４は、遮蔽部５によって覆われている。
【００３２】
遮蔽部５は、鉄等の強磁性体からなる。図２、図３に示すごとく、遮蔽部５は、板状の強磁性体を厚み方向に複数折り曲げたような形状を有し、Ｘ方向に対称な形状を有する。
【００３３】
図２、図３に示すごとく、遮蔽部５は、第一部位５１と第二部位５２とを有する。図２に示すごとく、第一部位５１は、スイッチ装置４とバスバ重なり部６０との並び方向（すなわちＺ方向）におけるバスバ重なり部６０側（すなわちＺ２側）からスイッチ装置４を覆っている。第二部位５２は、第一部位５１から延設されている。第二部位５２は、バスバ重なり部６０の後述の最近接部６０１の通電方向であるＹ方向、及びスイッチ装置４とバスバ重なり部６０との並び方向であるＺ方向の双方に直交するＸ方向の両側から、スイッチ装置４を覆っている。最近接部６０１は、バスバ重なり部６０における、スイッチ装置４から最も近い部位である。本実施形態においては、バスバ重なり部６０は、Ｚ方向においてスイッチ装置４と重なる部位を有しており、この部位がバスバ重なり部６０の最近接部６０１である。
【００３４】
ここで、遮蔽部５が、バスバ重なり部６０とスイッチ装置４との間に配されるとは、バスバ重なり部６０の少なくとも一部とスイッチ装置４の少なくとも一部との間に遮蔽部５が配されていれば良い。遮蔽部５は、少なくともバスバ重なり部６０の最近接部６０１とスイッチ装置４との間に配されていることが好ましい。
【００３５】
図１、図２に示すごとく、本実施形態において、遮蔽部５は、スイッチ装置４の全体と第一バスバ６１のバスバ重なり部６０及び第二バスバ６２のバスバ重なり部６０の全体と、の間に配されている。すなわち、スイッチ装置４の全体の各部と第一バスバ６１のバスバ重なり部６０及び第二バスバ６２のバスバ重なり部６０の全体の各部とを結ぶ無数の直線は、いずれも遮蔽部５を通るよう構成される。
【００３６】
図２、図３に示すごとく、第一部位５１は、Ｚ方向に直交する板状に形成されている。第一部位５１は、Ｘ方向に伸びる辺とＹ方向に伸びる辺を有する四角形状を呈している。図２に示すごとく、第一部位５１は、少なくとも最近接部６０１とスイッチ装置４との間に配されている。そして、第二部位５２は、第一部位５１におけるＸ方向の両端縁からＺ１側に延設されている。
【００３７】
図２、図３に示すごとく、第二部位５２は、第一部位５１のＸ方向の両端縁のそれぞれにおけるＹ方向の全体からＺ１側に延設されている。第二部位５２は、Ｘ方向に厚みを有し、一対の第二部位５２は、互いにＸ方向に対向している。図２に示すごとく、第二部位５２は、回路基板３のＺ２側の面まで形成されている。
【００３８】
図２に示すごとく、遮蔽部５における第一部位５１と一対の第二部位５２とにより囲まれた空間に、スイッチ装置４が配されている。また、図３に示すごとく、遮蔽部５において、第一部位５１と一対の第二部位５２とにより囲まれた空間は、最近接部６０１における電流の通電方向（すなわちＹ方向）に開放されている。
【００３９】
図２、図３に示すごとく、一対の第二部位５２のＺ１側端部のそれぞれからは、フランジ部５３が延設されている。この一対のフランジ部５３は、第二部位５２のＺ１側端部から、Ｘ方向において互いに遠ざかる側に延設されている。図２に示すごとく、フランジ部５３の一部は、ボス部７２１と回路基板３との間に介在するよう形成されている。
【００４０】
図２に示すごとく、遮蔽部５のフランジ部５３は、ベース部材７のボス部７２１に対し、回路基板３と共締めされている。すなわち、フランジ部５３及び回路基板３には、互いにＺ方向に重なる位置に形成された図示しないボルト挿通孔が形成されており、回路基板３及び遮蔽部５は、回路基板３及びフランジ部５３のボルト挿通孔にボルト１１を挿通するとともに、当該ボルト１１をボス部７２１の雌ネジ孔に螺合することにより、ベース部材７に共締めされている。つまり、遮蔽部５は、ベース部材７に固定されている。
【００４１】
図２に示すごとく、遮蔽部５は、回路基板３と反対側からスイッチ装置４を支持している。すなわち、遮蔽部５の第一部位５１のＺ１側の面は、スイッチ装置４のスイッチ本体部４１のＺ２側の面に当接している。これにより、スイッチ装置４は、遮蔽部５と回路基板３とによって挟持されている。
【００４２】
図１に示すごとく、遮蔽部５は、回路基板３におけるＸ１側端部に配されている。そして、遮蔽部５は、回路基板３におけるＸ１側端縁と、Ｙ方向の両側の端縁とに沿うよう配されている。Ｚ方向から見たとき、遮蔽部５は、回路基板３の内側に収まるよう配されている。
【００４３】
図１に示すごとく、ベース部材７のＺ１側における、回路基板３のＹ１側の領域に電池２が配されている。図示は省略するが、電池２は、直列接続された複数の電池セルを、電池セルの厚み方向に積層してなる。電池セルは、リチウムイオン蓄電池である。そして、電池２における正極側の出力が、第二バスバ６２に電気的に接続されている。
【００４４】
次に、本実施形態の作用効果につき説明する。
電源装置１において、遮蔽部５は、バスバ重なり部６０とスイッチ装置４との間に配されており、磁性体からなる。それゆえ、バスバ重なり部６０に、時間的に変動するリップル電流が流れてバスバ重なり部６０の周囲の磁界が時間的に変動しても、この磁界の磁束は、遮蔽部５に吸収されるため、スイッチ装置４を通過し難い。
【００４５】
さらに、本実施形態において、スイッチ装置４はリレーであり、操作コイルに直流の電流が流れている。それゆえ、電源装置１が遮蔽部５を備えない場合は、バスバ重なり部６０にリップル電流が流れることによりバスバ重なり部６０の周囲に生じる、時間的に変動する磁界の磁束が、スイッチ装置４の操作コイル周辺を通過する。これにより、スイッチ装置４がリップル電流の周波数で振動する。これにより、スイッチ装置４を実装した回路基板３全体が振動したり、磁気音が発生したりする恐れがある。そこで、本実施形態においては、前述のごとくバスバ重なり部６０とスイッチ装置４との間に配された磁性体からなる遮蔽部５を備えるため、スイッチ装置４としてのリレーに磁束が通過することを抑制でき、スイッチ装置４の振動の発生や磁気音の発生を抑制することができる。
【００４６】
また、スイッチ装置４は、回路基板３におけるバスバ重なり部６０が配された側に実装されている。それゆえ、バスバ重なり部６０及びスイッチ装置４を、回路基板３の一方側にのみ配することができるため、電源装置１全体の小型化が図りやすい。
【００４７】
また、遮蔽部５は、バスバ重なり部６０の最近接部６０１の通電方向（すなわちＹ方向）、及び、スイッチ装置４とバスバ重なり部６０との並び方向（すなわちＺ方向）との双方に直交する方向の両側からスイッチ装置４を覆う第二部位５２を有する。ここで、電源装置１が遮蔽部５を備えない場合、最近接部６０１への通電によって生じる磁束は、最近接部６０１を中心とした前記通電方向に直交する円形に形成されるため、前記通電方向と前記並び方向に直交する方向（すなわちＸ方向）から、スイッチ装置４に磁束が通過するおそれがある。そこで、遮蔽部５に第二部位５２を形成することで、電源装置１が遮蔽部５を備えない場合にスイッチ装置４を通過する前述の磁束の経路中に、遮蔽部５を配しやすい。それゆえ、一層スイッチ装置４に磁束が通過することを抑制できる。
【００４８】
また、遮蔽部５は、ベース部材７に固定されている。それゆえ、スイッチ装置４に生じ得る振動が遮蔽部５に伝わりにくく、電源装置１全体として振動を抑制しやすい。
【００４９】
また、遮蔽部５は、ベース部材７に対し、回路基板３と共締めされている。それゆえ、電源装置１において、固定点が増加することを防止することができる。
【００５０】
また、遮蔽部５は、回路基板３と反対側からスイッチ装置４を支持している。それゆえ、回路基板３に実装されたスイッチ装置４の振動を抑制しやすい。また、本実施形態においては、スイッチ装置４は、リレーであり、オンオフ時の振動等が懸念され、これにより回路基板３全体の振動が懸念される。そこで、遮蔽部５で、スイッチ装置４を回路基板３と反対側から支持することにより、振動抑制の効果が一層得られる。
【００５１】
以上のごとく、本実施形態によれば、バスバ重なり部への通電により生じる磁束がスイッチ装置を通過し難い電源装置を提供することができる。
【００５２】
（実施形態２）
本実施形態は、図４に示すごとく、実施形態１に対し、遮蔽部５の構成を変更した実施形態である。
【００５３】
遮蔽部５の第一部位５１は、Ｘ方向の中央へ向かうほどＺ１側へ膨らむよう湾曲した形状を有する。そして、第一部位５１は、弾性変形していない自由状態よりもＺ方向に圧縮された状態で配されており、第一部位５１の復元力がスイッチ装置４に作用している。これにより、遮蔽部５は、スイッチ装置４を、回路基板３側に付勢している。
【００５４】
その他は、実施形態１と同様である。
なお、実施形態２以降において用いた符号のうち、既出の実施形態において用いた符号と同一のものは、特に示さない限り、既出の実施形態におけるものと同様の構成要素等を表す。
【００５５】
本実施形態において、遮蔽部５は、スイッチ装置４を回路基板３側に付勢している。それゆえ、スイッチ装置４に振動が生じることを一層抑制しやすい。
その他、実施形態１と同様の作用効果を有する。
【００５６】
（実施形態３）
本実施形態は、図５に示すごとく、実施形態１に対し、遮蔽部５の構成を変更した実施形態である。
【００５７】
本実施形態において、遮蔽部５は、スイッチ装置４と当接していない。すなわち、遮蔽部５の第一部位５１とスイッチ装置４との間には間隔Ｉが形成されている。
その他は、実施形態１と同様である。
【００５８】
本実施形態においては、Ｚ方向における遮蔽部５の寸法と、基板からＺ２側のスイッチ装置４の寸法とを厳密に揃えなくとも、遮蔽部５を電源装置１に組み付けることができるため電源装置１全体として生産性の向上を図りやすい。
その他、実施形態１と同様の作用効果を有する。
【００５９】
（実施形態４）
本実施形態は、図６に示すごとく、実施形態１に対して、回路基板３におけるバスバ重なり部６０が配された側の反対側にスイッチ装置４を実装した実施形態である。
その他は、実施形態１と同様である。
【００６０】
本実施形態においても、実施形態１と同様の作用効果を有する。
【００６１】
（実施形態５）
本実施形態は、図７、図８に示すごとく、実施形態１に対し、遮蔽部５の構成を変更した実施形態である。
【００６２】
図７に示すごとく、遮蔽部５は、実施形態１と同様、スイッチ装置４をＺ２側から覆う第一部位５１と、スイッチ装置４をＸ方向の両側から覆う第二部位５２とを有する。本実施形態において、一対の第二部位５２は、スイッチ装置４と近接対向している。また、第二部位５２のＺ１側端部は、回路基板３よりも若干Ｚ２側に離れた位置に形成されている。
【００６３】
図７、図８に示すごとく、遮蔽部５は、一対の第二部位５２のＺ１側端部のそれぞれから、互いに離れる方向に形成された一対の配置凹部５４を有する。一対の配置凹部５４は、第二部位５２のＺ１側端部のそれぞれからＸ方向に互いに離れる方向に形成された凹部第一部５４１と、凹部第一部５４１における第二部位５２から遠い側の端縁からＺ１側に形成された凹部第二部５４２とを有する。凹部第二部５４２のＺ１側端部は、回路基板３のＺ２側の面に当接している。一対の配置凹部５４は、互いに同じ形状を有する。
【００６４】
図７、図８に示すごとく、各配置凹部５４の内側、すなわち、凹部第一部５４１をＺ方向に投影した領域と、凹部第二部５４２をＸ方向に投影した領域とが重なる領域に、弾性体８が配されている。弾性体８は、絶縁性を有するとともに弾性変形可能な材料からなる。弾性体８は、例えばゴムからなる。
【００６５】
図７、図８に示すごとく、弾性体８は、各配置凹部５４にぴったりはまるよう形成されている。一対の配置凹部５４に配された一対の弾性体８は、互いに同じ形状を有する。弾性体８は、弾性変形していない自由状態よりも、Ｚ方向に圧縮された状態で配されている。そして、弾性体８の復元力は、Ｚ方向の弾性体８の両側に配された遮蔽部５の配置凹部５４と回路基板３とに作用している。
【００６６】
配置凹部５４の凹部第二部５４２のＺ１側端部からフランジ部５３が形成されている。
その他は、実施形態１と同様である。
【００６７】
本実施形態においては、遮蔽部５と回路基板３との間に、Ｚ方向に圧縮された状態の弾性体８が配されている。それゆえ、遮蔽部５と回路基板３とを一体化しやすく、回路基板３、スイッチ装置４、及び遮蔽部５全体に生じる振動を低減しやすい。
その他、実施形態１と同様の作用効果を有する。
【００６８】
（実施形態６）
本実施形態は、図９に示すごとく、実施形態１に対して、遮蔽部５の固定手段を変更した実施形態である。
【００６９】
遮蔽部５のフランジ部５３は、ベース部材７のボス部７２１に対してＺ方向に直交する面方向にずれた位置に配されている。遮蔽部５は、そして、フランジ部５３及び回路基板３は、ボルト１２及びナット１３により、締結されている。すなわち、遮蔽部５は、回路基板３に固定されている。
その他は、実施形態１と同様である。
【００７０】
本実施形態において、遮蔽部５は、回路基板３に固定されている。すなわち、スイッチ装置４と遮蔽部５とのいずれも、回路基板３に固定される。それゆえ、遮蔽部５とスイッチ装置４との位置関係を調整しやすい。
その他、実施形態１と同様の作用効果を有する。
【００７１】
（実施形態７）
本実施形態は、図１０に示すごとく、実施形態６に対し、遮蔽部５の構成を変更した実施形態である。
【００７２】
本実施形態において、遮蔽部５は、スイッチ装置４と当接していない。すなわち、遮蔽部５の第一部位５１とスイッチ装置４との間には間隔Ｉが形成されている。
その他は、実施形態６と同様である。
【００７３】
本実施形態においては、Ｚ方向における遮蔽部５の寸法と、基板からＺ２側のスイッチ装置４の寸法とを厳密に揃えなくとも、遮蔽部５を電源装置１に組み付けることができるため電源装置１全体として生産性の向上を図りやすい。
その他、実施形態６と同様の作用効果を有する。
【００７４】
（実施形態８）
本実施形態は、図１１に示すごとく、実施形態６に対して、回路基板３におけるバスバ重なり部６０が配された側の反対側にスイッチ装置４を実装した実施形態である。
その他は、実施形態６と同様である。
【００７５】
本実施形態においても、実施形態６と同様の作用効果を有する。
【００７６】
（実施形態９）
本実施形態は、図１２に示すごとく、実施形態１に対して、遮蔽部５の固定箇所を変更した実施形態である。
【００７７】
本実施形態において、遮蔽部５の第一部位５１は、バスバ重なり部６０をＸ１側から覆うように形成されている。第一部位５１の形状、形成範囲等は、実施形態１と同様である。
【００７８】
そして、第一部位５１のＸ方向の両端からＺ２側に一対の第二部位５２が形成されている。一対の第二部位５２は、バスバ重なり部６０の最近接部６０１の通電方向（すなわちＹ方向）、及びスイッチ装置４とバスバ重なり部６０との並び方向（すなわちＺ方向）の双方に直交する方向（すなわちＸ方向）の両側から、バスバ重なり部６０を覆っている。
【００７９】
第二部位５２のＺ２側端部は、ベース部材７に当接している。そして、第二部位５２のＺ２側端部のそれぞれからは、フランジ部５３が延設されている。一対のフランジ部５３は、第二部位５２のＺ２側端部から、Ｘ方向において互いに遠ざかる側に延設されている。そして、遮蔽部５は、フランジ部５３において、ベース部材７にボルト１４で締結されている。
【００８０】
遮蔽部５のＺ１側の面、すなわち第一部位５１のＺ１側の面には、スイッチ装置４が当接している。これにより、遮蔽部５は、スイッチ装置４を、回路基板３と反対側から支持している。
その他は、実施形態１と同様である。
【００８１】
本実施形態において、遮蔽部５は、バスバ重なり部６０の最近接部６０１の通電方向（すなわちＹ方向）、及びスイッチ装置４とバスバ重なり部６０との並び方向（すなわちＺ方向）の双方に直交する方向（すなわちＸ方向）の両側から、バスバ重なり部６０を覆う第二部位５２を有する。それゆえ、バスバ重なり部６０への通電によって生じる磁束が、バスバ重なり部６０周辺の広い範囲に形成されることを防止しやすい。それゆえ、バスバ重なり部６０周辺の電子部品等に、バスバ重なり部６０への通電によって生じる磁束が通過し、当該電子部品の動作に影響を与えることを防止しやすい。
その他、実施形態１と同様の作用効果を有する。
【００８２】
（実施形態１０）
本実施形態は、図１３に示すごとく、実施形態９に対し、遮蔽部５の構成を変更した実施形態である。
【００８３】
本実施形態において、遮蔽部５は、スイッチ装置４と当接していない。すなわち、遮蔽部５の第一部位５１とスイッチ装置４との間には間隔Ｉが形成されている。
その他は、実施形態９と同様である。
【００８４】
本実施形態においては、Ｚ方向における遮蔽部５のＺ１側端部の位置と、スイッチ装置４のＺ２側端部の位置とを厳密に揃えなくとも、遮蔽部５を電源装置１に組み付けることができるため電源装置１全体として生産性の向上を図りやすい。
その他、実施形態９と同様の作用効果を有する。
【００８５】
（実施形態１１）
本実施形態は、図１４に示すごとく、実施形態９に対して、回路基板３におけるバスバ重なり部６０が配された側の反対側にスイッチ装置４を実装した実施形態である。
その他は、実施形態９と同様である。
【００８６】
本実施形態においても、実施形態９と同様の作用効果を有する。
【００８７】
本発明は、前記各実施形態に限定されるものではなく、その要旨を逸脱しない範囲において種々の実施形態に適用することが可能である。
【符号の説明】
【００８８】
１  電源装置
２  電池
３  回路基板
４  スイッチ装置
５  遮蔽部
６０  重なり部
６１  第一バスバ
６２  第二バスバ
【図１】
2020087860.tif 000003
【図２】
2020087860.tif 000004
【図３】
2020087860.tif 000005
【図４】
2020087860.tif 000006
【図５】
2020087860.tif 000007
【図６】
2020087860.tif 000008
【図７】
2020087860.tif 000009
【図８】
2020087860.tif 000010
【図９】
2020087860.tif 000011
【図１０】
2020087860.tif 000012
【図１１】
2020087860.tif 000013
【図１２】
2020087860.tif 000014
【図１３】
2020087860.tif 000015
【図１４】
2020087860.tif 000016